(57)【特許請求の範囲】
【請求項１】
電子レンジ加熱が可能な容器本体、この容器本体の開口部を密封状態で覆う蓋とからなる弁当容器において、前記蓋を前記容器本体の開口部を覆う蓋本体と、この蓋本体の上面の一部に形成された凹部と、この凹部に形成された前記容器本体内で発生する蒸気を抜くための切り欠きで形成した弁と、前記凹部の周縁部に形成した微小な蒸気抜き溝と、この蒸気抜き溝の外側端部の近傍に外周部が位置して、前記凹部および該蒸気抜き溝の外周部の一部を残して覆うことができる前記蓋本体に貼着されたラベルとからなり、該ラベルは、前記蒸気抜き溝から侵入する虫を蒸気抜き溝通過中にラベルの接着面に接着して、その侵入を防止できるように貼着されていることを特徴とする弁当容器。
【請求項２】
蓋本体の上面の一部に形成された凹部は浅皿状に形成されるとともに、該凹部の周縁部の蓋本体には複数個の微小な蒸気抜き溝が形成されていることを特徴とする請求項１記載の弁当容器。
【発明の詳細な説明】
【技術分野】
【０００１】
本発明はスーパー、コンビニエンスストアー等で販売するお弁当、惣菜等を包装する弁当容器に関する。
【背景技術】
【０００２】
従来、スーパー、コンビニエンスストアー等で販売される弁当容器の蓋には、電子レンジで加熱した時に発生する蒸気を抜くため、Ｕ字状の切り欠きで弁を形成し、該弁より異物が混入するのを防止するために両端部が貼着された弁シールを設けていた。
【０００３】
このため、弁シールの貼着とラベルの貼着をしなければならず、手数がかかるとともに、コスト高になるという欠点があった。
また、Ｕ字状の切り欠きの上部に両端部が貼着した弁シールを用いているため、弁シールにＵ字状の切り欠きの両端部が押し圧されると、蒸気が抜けずらくなってしまうという欠点があった。
【特許文献１】特になし
【発明の開示】
【発明が解決しようとする課題】
【０００４】
本発明は以上のような従来の欠点に鑑み、蒸気を抜く弁部をラベルで覆って異物の混入を防止するとともに、容器本体内で蒸気が発生するとラベルがじゃますることなく、確実に弁が開放して、外部へ排出することができる弁当容器を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は電子レンジ加熱が可能な容器本体、この容器本体の開口部を密封状態で覆う蓋とからなる弁当容器において、前記蓋を前記容器本体の開口部を覆う蓋本体と、この蓋本体の上面の一部に形成された凹部と、この凹部に形成された前記容器本体内で発生する蒸気を抜くための切り欠きで形成した弁と、前記凹部の周縁部に形成した微小な蒸気抜き溝と、この蒸気抜き溝の外側端部の近傍に外周部が位置して、前記凹部および該蒸気抜き溝の外周部の一部を残して覆うことができる前記蓋本体に貼着されたラベルとからなり、該ラベルは、前記蒸気抜き溝から侵入する虫を蒸気抜き溝通過中にラベルの接着面に接着して、その侵入を防止できるように貼着して弁当容器を構成している。
【発明の効果】
【０００７】
以上の説明から明らかなように、本発明にあっては次に列挙する効果が得られる。
【０００８】
（１）蓋本体の上面の一部に形成された凹部に切り欠きで形成した弁を形成しているので、電子レンジで加熱した時に容器本体内で発生した蒸気は弁を押し上げ、凹部内へ浸入し、該凹部より微小な蒸気抜き溝を通過して、外部へ排出することができる。
したがって、従来のように弁と弁シールとが面接触しているものに比べ、確実に弁を開弁方向に移動させることができる。
【０００９】
（２）前記（１）によって、微小な蒸気抜き溝の外側端部の近傍に外周部が位置して、微小な蒸気抜き溝の外周部の一部を残してラベルを貼着しているので、凹部内より蒸気を確実に外部へ排出できる。
特に、本願発明は微小な蒸気抜き溝の外側端部の近傍に接着層を有するラベルの外周部が位置するため、前記微小な蒸気抜き溝から侵入する虫を前記接着層を介して防止できる。
【００１０】
（３）前記（１）によって、弁が形成された凹部や微小な蒸気抜き溝はラベルで覆うことができ、従来のように弁シールとラベルとを用いなくてもよく、取り扱いが容易で、コストの低減を図ることができる。
【００１１】
（４）前記（１）によって、蓋に凹部、弁および微小な蒸気抜き溝を形成すればよく、容易に製造することができる。
【００１２】
（５）請求項２も前記（１）〜（４）と同様な効果が得られるとともに、内部容積が少なくなるのを効率よく阻止できるとともに、ラベルがずれて貼着されてもいずれかの微小な蒸気抜き溝より効率よく外部へ蒸気を排出することができる。
【発明を実施するための最良の形態】
【００１３】
以下、図面に示す本発明を実施するための最良の形態により、本発明を詳細に説明する。
【００１４】
図１ないし図６に示す本発明者が考えた弁当容器において、１は本発明の弁当容器で、この弁当容器１は弁当食品２が収納される開口端部の内側に蓋嵌合凹部３が形成された円形状の容器本体４と、この容器本体４の蓋嵌合凹部３と嵌合固定される嵌合部５が外周部に形成された透明材製の平坦な上面外周部に係止用突リング６を有する蓋本体７、この蓋本体７の上面の一部、本発明の実施の形態では外周部寄りの部位に形成された浅皿状の四角形状の凹部８、この凹部８の底面にＵ字状の切り欠き９で形成した弁１０、前記凹部８の周縁部の前記蓋本体７に形成された各片に複数個の幅寸法が２ｍｍ以下、深さが１ｍｍ以下の微小な蒸気抜き溝１１、この複数個の蒸気抜き溝１１の外側部の近傍に外周部が位置して、前記凹部８および蒸気抜き溝１１を全部覆うことができる弁シール兼用のラベル１２とからなる蓋１３とで構成されている。
【００１５】
上記構成の弁当容器１は容器本体４内に弁当食品２が収納され、該容器本体４の開口部を蓋１３の嵌合部５と容器本体４の蓋嵌合凹部３と嵌合させることにより、容器本体４内は密封された状態となる。
この状態で、電子レンジで加熱すると、容器本体４内に収納された弁当食品２より蒸気が発生し、発生した蒸気は弁１０を押し上げて凹部８内へ浸入し、該凹部８内より複数個の微小な蒸気抜き溝１１へ浸入し、該蒸気抜き溝１１内の圧力を高めることにより、ラベル１２の外側端部が複数個の微小な蒸気抜き溝１１の外側端部近傍であるため、該部のラベルを押し上げ、蒸気抜き溝１１を開放して外部へ排出することができる。
通常時には複数個の微小な蒸気抜き溝１１はラベル１２で覆われているので、虫等の侵入を確実に防止することができるとともに、弁１０が凹部８の底面に形成されているため、確実に移動させることができる。
［発明を実施するための異なる形態］
【００１６】
次に、図７ないし図１８に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１７】
図７ないし図９に示す本発明を実施するための第１の形態において、前記図１ないし図６に示す弁当容器と主に異なる点は、複数個の微小な蒸気抜き溝１１の外側端部の一部を残して貼着することができるラベル１２Ａを用いた点で、このようなラベル１２Ａを用いて構成した弁当容器１Ａにしても、前記図１ないし図６に示す弁当容器と同様な作用効果が得られる。
なお、微小な蒸気抜き溝１１の外側端部が開口された状態となるが、微小な蒸気抜き溝１１は微小な寸法であるため、たとえば小さな虫が侵入して凹部８へ入り込もうとしても、微小な蒸気抜き溝１１を通過中にラベル１２Ａの接着面（接着層）１２ａに接着して、その侵入を防止できる。すなわち、ラベル１２Ａの接着面を介して進入中の虫を捕獲することができる。
【００１８】
図１０ないし図１２に示す本発明者が考えた弁当容器において、前記図１ないし図６に示す弁当容器と主に異なる点は、外周部をアングル状に曲げて蓋嵌合部１４を形成した長方形状の容器本体４Ａと、この容器本体４Ａの開口部を覆う外周部に、前記蓋嵌合部１４を覆うように嵌合するアングル状の嵌合部１５が形成された蓋１３Ａを用いた点で、このように構成された弁当容器１Ｂにしても、前記図１ないし図６に示す弁当容器と同様な作用効果が得られる。
【００１９】
図１３ないし図１５に示す本発明者が考えた弁当容器において、前記図１ないし図６に示す弁当容器と主に異なる点は、外周部をアングル状に曲げて蓋嵌合部１４Ａを形成した円形状の容器本体４Ｂと、この容器本体４Ｂの開口部を覆う外周部に、前記蓋嵌合部１４Ａを覆うように嵌合するアングル状の嵌合部１５Ａを形成した蓋本体７Ａ、この蓋本体７Ａの中央部に円形浅皿状の凹部８Ａを形成した蓋１３Ｂを用いた点で、このように構成された弁当容器１Ｃにしても、前記図１ないし図６に示す弁当容器と同様な作用効果が得られる。
【００２０】
図１６ないし図１８に示す本発明者が考えた弁当容器において、前記図１３ないし図１５に示す弁当容器と主に異なる点は、外周部に微小な蒸気抜き溝１１が形成された比較的に小さな円形浅皿状の凹部８Ｂを形成し、該部に凹部８Ｂを覆うラベル１６を貼着するとともに、蓋１３Ｂの表面あるいは容器本体４の底面、本発明の実施の形態では蓋１３Ｂの表面に商品ラベル１７を貼着した点で、このように構成した弁当容器１Ｄにしても、前記図１３ないし図１５に示す弁当容器と同様な作用効果が得られる。
なお、前記本発明を実施する各形態では複数個の蒸気抜き溝を形成したものについて説明したが、１個の蒸気抜き溝を形成したものであってもよい。
【産業上の利用可能性】
【００２１】
本発明はスーパー、コンビニエンスストアー等で販売されるお弁当等に使用される弁当容器の製造産業で利用される。
【図面の簡単な説明】
【００２２】
【図１】本発明者が考えた弁当容器の斜視図。
【図２】図１の２−２線に沿う断面図。
【図３】本発明者が考えた弁当容器の容器本体の斜視図。
【図４】本発明者が考えた弁当容器の蓋の斜視図。
【図５】図４の５−５線に沿う断面図。
【図６】本発明者が考えた弁当容器の蒸気が抜ける状態の説明図。
【図７】本発明を実施するための第１の形態の斜視図。
【図８】図７の８−８線に沿う断面図。
【図９】本発明を実施するための第１の形態の要部拡大断面図。
【図１０】本発明者が考えた弁当容器の斜視図。
【図１１】図１０の１１−１１線に沿う断面図。
【図１２】本発明者が考えた弁当容器の要部拡大断面図。
【図１３】本発明者が考えた弁当容器の斜視図。
【図１４】図１３の１４−１４線に沿う断面図。
【図１５】本発明者が考えた弁当容器の要部拡大断面図。
【図１６】本発明者が考えた弁当容器の斜視図。
【図１７】図１６の１７−１７線に沿う断面図。
【図１８】本発明者が考えた弁当容器の要部拡大断面図。
【符号の説明】
【００２３】
１、１Ａ、１Ｂ、１Ｃ、１Ｄ：弁当容器、
２：弁当食品、                ３：蓋嵌合凹部、
４、４Ａ、４Ｂ：容器本体、    ５：嵌合部、  
６：係止用突リング、          ７、７Ａ：蓋本体、
８、８Ａ、８Ｂ：凹部、        ９：切り欠き、
１０：弁、                    １１：微小な蒸気抜き溝、
１２、１２Ａ：ラベル、        １３、１３Ａ、１３Ｂ：蓋、
１４、１４Ａ：蓋嵌合部、      １５、１５Ａ：嵌合部、
１６：ラベル、                １７：商品ラベル。
【図１】
0005346452.tif 000002
【図２】
0005346452.tif 000003
【図３】
0005346452.tif 000004
【図４】
0005346452.tif 000005
【図５】
0005346452.tif 000006
【図６】
0005346452.tif 000007
【図７】
0005346452.tif 000008
【図８】
0005346452.tif 000009
【図９】
0005346452.tif 000010
【図１０】
0005346452.tif 000011
【図１１】
0005346452.tif 000012
【図１２】
0005346452.tif 000013
【図１３】
0005346452.tif 000014
【図１４】
0005346452.tif 000015
【図１５】
0005346452.tif 000016
【図１６】
0005346452.tif 000017
【図１７】
0005346452.tif 000018
【図１８】
0005346452.tif 000019